(57)【特許請求の範囲】
【請求項１】
電話回線接続端子に印加される電圧の極性反転を検出するとともに着信呼出信号を検出する検出部と、
この検出部が極性反転を検出したとき第１の割り込み処理によりクロックを発振させ、前記極性反転なしで前記着信呼出信号が入力された場合、前記着信呼出信号が予め定められたスレッショルドを越えた時点で極反とみなし第２の割り込み処理によりクロックを発振させるクロック制御部と、
アナログ回線用の自動通報装置本体をディジタル回線に接続するときに用いられるターミナルアダプタに前記自動通報装置本体を接続したとき、操作される操作部と、
この操作部からの操作信号により前記ターミナルアダプタに前記自動通報装置本体が接続されたか否かを判定する接続判定部と、
この接続判定部により前記ターミナルアダプタに前記自動通報装置本体が接続されたと判定されたとき、前記クロック制御部の前記第２の割り込み処理を禁止することにより前記クロックの発振を禁止するクロック発振禁止部と、
を備えることを特徴とする自動通報装置。
【請求項２】
前記ターミナルアダプタに前記自動通報装置本体が接続されたとき、前記検出部による前記極性反転は、検出されないことを特徴とする請求項１記載の自動通報装置。
【請求項３】
前記クロック制御部は、前記第２の割り込み処理によりクロックを第１クロックレベルに設定し、前記検出部で検出した電圧が前記スレッショルドを越えるとき第１設定レベルに設定し、検出電圧が前記スレッショルドを越えないとき第２設定レベルに設定し、前記第１設定レベルが所定時間以上継続した場合に極性反転の確定と判定する第１の判定部と、
前記極性反転の確定が不可能と判定されたとき、前記着信呼出信号の終了後に前記第２設定レベルが所定時間以上継続した場合に極性反転でない確定と判定し、前記クロックを前記第１クロックレベルから第２クロックレベルに変更する第２の判定部と、
前記極性反転が確定されたとき、前記着信呼出信号の確定を行い、前記クロックを前記第１クロックレベルから前記第２クロックレベルに変更する確定部と、
を備えることを特徴とする請求項１または請求項２記載の自動通報装置。
【請求項４】
電話回線接続端子に印加される電圧の極性反転を検出するとともに着信呼出信号を検出する検出ステップと、
前記極性反転が検出されたとき第１の割り込み処理によりクロックを発振させ、前記極性反転なしで前記着信呼出信号が入力された場合、前記着信呼出信号が予め定められたスレッショルドを越えた時点で極反とみなし第２の割り込み処理によりクロックを発振させるクロック制御ステップと、
アナログ回線用の自動通報装置本体をディジタル回線に接続するときに用いられるターミナルアダプタに前記自動通報装置本体を接続したとき、操作部を操作する操作ステップと、
前記操作部からの操作信号により前記ターミナルアダプタに前記自動通報装置本体が接続されたか否かを判定する接続判定ステップと、
前記ターミナルアダプタに前記自動通報装置本体が接続されたと判定されたとき、前記クロック制御ステップにおける前記第２の割り込み処理を禁止することにより前記クロックの発振を禁止するクロック発振禁止ステップと、
を含むことを特徴とする自動通報方法。
【請求項５】
前記ターミナルアダプタに前記自動通報装置本体が接続されたとき、前記極性反転は、検出されないことを特徴とする請求項４記載の自動通報方法。
【請求項６】
前記クロック制御ステップは、前記第２の割り込み処理によりクロックを第１クロックレベルに設定し、前記検出ステップで検出した電圧が前記スレッショルドを越えるとき第１設定レベルに設定し、検出電圧が前記スレッショルドを越えないとき第２設定レベルに設定し、前記第１設定レベルが所定時間以上継続した場合に極性反転の確定と判定する第１の判定ステップと、
前記極性反転の確定が不可能と判定されたとき、前記着信呼出信号の終了後に前記第２設定レベルが所定時間以上継続した場合に極性反転でない確定と判定し、前記クロックを前記第１クロックレベルから第２クロックレベルに変更する第２の判定ステップと、
前記極性反転が確定されたとき、前記着信呼出信号の確定を行い、前記クロックを前記第１クロックレベルから前記第２クロックレベルに変更する確定ステップと、
を含むことを特徴とする請求項４または請求項５記載の自動通報方法。
【発明の詳細な説明】
【０００１】
【発明の属する技術分野】
本発明は、ガスメータからのガス情報等をセンタに自動通報する自動通報装置及び自動通報方法に関し、特にターミナルアダプタに接続された時にその接続を認識することのできる自動通報装置及び自動通報方法に関する。
【０００２】
【従来の技術】
従来のこの種の自動通報装置の概略構成ブロック図を図１０に示す。自動通報装置１００は、外部のガスメータのガス流量、異常状態等の状態を検出して電話回線を介して外部のホストコンピュータ等のセンタに通報する装置である。自動通報装置１００は、電話回線に接続される電話回線接続端子ＬＬと、電話機が接続される電話接続端子ＴＴと、極性反転検出部１０１と、ノーリンギング着信検出部１０２と、データ送受信部１０３と、制御部１０４とを備えて構成されている。
【０００３】
極性反転検出部１０１は、通常着信時の電話回線の極性反転、ノーリンギング通信時の電話回線の極性反転及びオフフック検出を行う。ノーリンギング着信検出部１０２は、ノーリンギング通信における着信を検出する。データ送受信部１０３は、各種データの送受信を行う。制御部１０４は、自動通報装置１００全体を制御するとともに外部のガスメータ等に接続されている。
【０００４】
図１１に極性反転検出部１０１の回路構成を示す。極性反転検出部１０１において、ダイオードブリッジ回路ＤＢの第１入力端子には、電話回線接続端子ＬＬを構成する第１電話回線接続端子Ｌ１が接続され、第２電話回線接続端子Ｌ２がダイオードブリッジ回路ＤＢの第２入力端子に接続されている。
【０００５】
第１電話回線接続端子Ｌ１とダイオードブリッジ回路ＤＢの第１入力端子との間の中間接続点には、ツェナーダイオードＺＤ１のカソード端子が接続されている。トランジスタＴＲ１のベース端子には、分圧抵抗群ＲＧ１を介してツェナーダイオードＺＤ１のアノード端子が接続され、トランジスタＴＲ１のコレクタ端子が制御端子ＬＳ１及び分圧抵抗を介してダイオードブリッジ回路ＤＢの第１出力端子に接続されている。
【０００６】
第２電話回線接続端子Ｌ２とダイオードブリッジ回路ＤＢの第２入力端子との間の中間接続点には、ツェナーダイオードＺＤ２のカソード端子が接続されている。トランジスタＴＲ２のベース端子には、分圧抵抗群ＲＧ２を介してツェナーダイオードＺＤ２のアノード端子が接続され、トランジスタＴＲ２のコレクタ端子が制御端子ＬＳ２及び分圧抵抗を介してダイオードブリッジ回路ＤＢの第１出力端子に接続されている。なお、ツェナーダイオードＺＤ１、ＺＤ２のスレッショルドレベル電圧は３０Ｖである。
【０００７】
一方、近年、インターネットの普及に伴い、電話回線をアナログ回線からディジタル回線に変更するユーザが増加しており、アナログ回線用の機器（アナログ回線用電話機、アナログ回線用自動通報装置）をディジタル回線に接続するためには、ターミナルアダプタ（ＴＡ）を介して接続する必要がある。
【０００８】
ここで、図１２を参照して、ノーリンギング通信時及び着信時の電話回線の極性反転検出時の自動通報装置の動作を説明する。ノーリンギング通信時及び着信時において、電話回線の極性が反転した場合には、図１２に示すように、第１電話回線接続端子Ｌ１と、第２電話回線接続端子Ｌ２との間の電圧は、−４８Ｖから＋４８Ｖに徐々に遷移する。
【０００９】
この結果、時刻ｔ１１までは、トランジスタＴＲ１がオフ、トランジスタＴＲ２がオンである。制御端子ＰＳＤ．Ｌ１は、“１”、ＰＳＤ．Ｌ２は、“０”としていることにより、制御端子ＬＳ１は“１”レベル、制御端子ＬＳ２は“０”レベルとなり、制御部１０４は、定常時（極性非反転時）であることを検出することができる。
【００１０】
次に時刻ｔ１１から時刻ｔ１２まで（遷移状態）は、トランジスタＴＲ１、ＴＲ２の双方がオフとなる。制御端子ＰＳＤ．Ｌ１は、“１”、ＰＳＤ．Ｌ２は、“０”としていることにより、制御端子ＬＳ１は“１”レベル、制御端子ＬＳ２は“０”レベルとなり、制御部１０４は、定常時（極性非反転時）であることを検出することができる。
【００１１】
時刻ｔ１２からは、トランジスタＴＲ１がオン、トランジスタＴＲ２がオフとなる。制御端子ＰＳＤ．Ｌ１は、“１”、ＰＳＤ．Ｌ２は、“０”としていることにより、制御端子ＬＳ１は“０”レベル、制御端子ＬＳ２は“０”レベルとなり、制御部１０４は、極性反転状態であることを検出することができる。
【００１２】
次に、自動通報装置による１６Ｈｚ信号の検出動作を図１３を参照して説明する。まず、−４８Ｖから＋４８Ｖへの極性反転（以下、極反と称する。）の時刻ｔ１２において、スレッショルドレベルＶＴＨ１で割り込みとなり、制御部１０４内の中央処理装置（ＣＰＵ）のメインクロックがＬレベルからＨレベルとなる。
【００１３】
そして、時刻ｔ１２から例えば、５０ｍｓ経過した時、すなわち、時刻ｔ１３において極反を確定する。その後、時刻ｔ１４において、１６Ｈｚ信号を検出して１６Ｈｚ信号を確定することで、ＣＰＵのメインクロックがＨレベルからＬレベルになってメインクロック動作を終了する。
【００１４】
次に、自動通報装置をターミナルアダプタに接続したときの１６Ｈｚ信号の検出動作を図１４を参照して説明する。図１４に示すように、ターミナルアダプタを介した場合には、１６Ｈｚ信号を着信する前では、電話回線の電圧は４８Ｖまたは２４Ｖで一定電圧であり、極反していない。
【００１５】
このように極反せずに、１６Ｈｚ信号が着信した場合には、時刻ｔ１５において、１６Ｈｚ信号を極反と見なして、１６Ｈｚ信号で割り込みとなり、ＣＰＵがＨレベルとなる。そして、１６Ｈｚ信号が終了し、時刻１６で“極反でない”確定を行い、ＣＰＵ１６のメインクロックをＬレベルにする。
【００１６】
【発明が解決しようとする課題】
しかしながら、１６Ｈｚ信号の半周期は約３０ｍｓであるため、極反の確定ができない。この極反確定ができない理由を図１５を参照して説明する。まず、ターミナルアダプタを介した後に１６Ｈｚ信号が着信されると、時刻ｔ１５のスレッショルドレベルＶＴＨ２で割り込みを発生し、ＣＰＵは、５ｍｓ毎に極反確定動作を繰り返し行う。ここで、５ｍｓ毎に１０回連続して極反確定動作が繰り返され、極反確定時間が５０ｍｓとなった場合には、極反確定となる。
【００１７】
しかし、図１５に示す１６Ｈｚ信号では、割り込み時点から極反確定動作を行うが、４回連続してＬレベルとなり、５回目にＨレベルとなるため、極反確定ができない。さらに、時刻ｔ１９から“極反でない”確定動作を行うが、６回連続してＨレベルとなり、７回目にＬレベルとなるため、“極反でない”確定ができない。
【００１８】
このため、ＣＰＵは、極反確定または“極反でない”確定のどちらかの確定ができるまで、メインクロック動作（図１４のＣＰＵのＨレベル）を継続させる。そして、図１４に示すように、着信した信号が、１秒間だけ１６Ｈｚ信号有り、２秒間だけ１６Ｈｚ無し、１秒間だけ１６Ｈｚ信号有りとなっているため、２秒間だけ１６Ｈｚ無しの状態で初めて、“極反でない”確定ができるから、ＣＰＵのメインクロックがＬレベルとなる。しかし、次の１６Ｈｚ信号の着信により、再度、割り込みを発生することになる。
【００１９】
すなわち、１６Ｈｚ信号が着信される毎に割り込み処理となり、ＣＰＵがメインクロック発振を行ってしまう。このため、消費電流が多くなってしまい、電池の寿命が短くなってしまう。
【００２０】
本発明は、ターミナルアダプタに接続されたことを認識するとともに、消費電流を低減することができる自動通報装置及び自動通報方法を提供することを課題とする。
【００２１】
【課題を解決するための手段】
本発明は、前記課題を解決するために以下の構成とした。請求項１の発明の自動通報装置は、電話回線接続端子に印加される電圧の極性反転を検出するとともに着信呼出信号を検出する検出部と、この検出部が極性反転を検出したとき第１の割り込み処理によりクロックを発振させ、前記極性反転なしで前記着信呼出信号が入力された場合、前記着信呼出信号が予め定められたスレッショルドを越えた時点で極反とみなし第２の割り込み処理によりクロックを発振させるクロック制御部と、アナログ回線用の自動通報装置本体をディジタル回線に接続するときに用いられるターミナルアダプタに前記自動通報装置本体を接続したとき、操作される操作部と、この操作部からの操作信号により前記ターミナルアダプタに前記自動通報装置本体が接続されたか否かを判定する接続判定部と、この接続判定部により前記ターミナルアダプタに前記自動通報装置本体が接続されたと判定されたとき、前記クロック制御部の前記第２の割り込み処理を禁止することにより前記クロックの発振を禁止するクロック発振禁止部とを備えることを特徴とする。
【００２２】
この発明によれば、検出部が、電話回線接続端子に印加される電圧の極性反転を検出するとともに着信呼出信号を検出し、クロック制御部は、検出部が極性反転を検出したとき第１の割り込み処理によりクロックを発振させ、極性反転なしで着信呼出信号が入力された場合、着信呼出信号が予め定められたスレッショルドを越えた時点で極反とみなし第２の割り込み処理によりクロックを発振させる。
【００２３】
そして、ターミナルアダプタに自動通報装置本体を接続したとき、操作部が操作されると、接続判定部は、操作部からの操作信号によりターミナルアダプタに自動通報装置本体が接続されたか否かを判定し、ターミナルアダプタに前記自動通報装置本体が接続されたと判定されたとき、クロック発振禁止部は、クロック制御部の第２の割り込み処理を禁止することによりクロックの発振を禁止する。
【００２４】
すなわち、ターミナルアダプタに接続時に操作部によりターミナルアダプタへの接続を認識し、第２の割り込み処理を禁止したので、着信呼出信号が着信しても割り込みが発生せず、クロックが発振しない。その結果、消費電流を少なくすることができる。
【００２５】
請求項２の発明の自動通報装置は、前記ターミナルアダプタに前記自動通報装置本体が接続されたとき、前記検出部による前記極性反転は、検出されないことを特徴とする。
【００２６】
請求項３の発明の自動通報装置のように、前記クロック制御部は、前記第２の割り込み処理によりクロックを第１クロックレベルに設定し、前記検出部で検出した電圧が前記スレッショルドを越えるとき第１設定レベルに設定し、検出電圧が前記スレッショルドを越えないとき第２設定レベルに設定し、前記第１設定レベルが所定時間以上継続した場合に極性反転の確定と判定する第１の判定部と、前記極性反転の確定が不可能と判定されたとき、前記着信呼出信号の終了後に前記第２設定レベルが所定時間以上継続した場合に極性反転でない確定と判定し、前記クロックを前記第１クロックレベルから第２クロックレベルに変更する第２の判定部と、前記極性反転が確定されたとき、前記着信呼出信号の確定を行い、前記クロックを前記第１クロックレベルから前記第２クロックレベルに変更する確定部とを備えることを特徴とする。
【００２７】
この発明によれば、検出部で検出した電圧がスレッショルドを越えるとき第１設定レベルに設定し、検出電圧がスレッショルドを越えないとき第２設定レベルに設定し、第１設定レベルが所定時間以上継続した場合に極性反転の確定ができる。また、極性反転の確定が不可能と判定されたとき、着信呼出信号の終了後に第２設定レベルが所定時間以上継続した場合に極性反転でない確定ができる。さらに、極性反転が確定されたとき、着信呼出信号の確定ができる。
【００２８】
請求項４の発明の自動通報方法は、電話回線接続端子に印加される電圧の極性反転を検出するとともに着信呼出信号を検出する検出ステップと、前記極性反転が検出されたとき第１の割り込み処理によりクロックを発振させ、前記極性反転なしで前記着信呼出信号が入力された場合、前記着信呼出信号が予め定められたスレッショルドを越えた時点で極反とみなし第２の割り込み処理によりクロックを発振させるクロック制御ステップと、アナログ回線用の自動通報装置本体をディジタル回線に接続するときに用いられるターミナルアダプタに前記自動通報装置本体を接続したとき、操作部を操作する操作ステップと、前記操作部からの操作信号により前記ターミナルアダプタに前記自動通報装置本体が接続されたか否かを判定する接続判定ステップと、前記ターミナルアダプタに前記自動通報装置本体が接続されたと判定されたとき、前記クロック制御ステップにおける前記第２の割り込み処理を禁止することにより前記クロックの発振を禁止するクロック発振禁止ステップとを含むことを特徴とする。
【００２９】
請求項５の発明の自動通報方法は、前記ターミナルアダプタに前記自動通報装置本体が接続されたとき、前記極性反転は、検出されないことを特徴とする。
【００３０】
請求項６の発明の自動通報方法のように、前記クロック制御ステップは、前記第２の割り込み処理によりクロックを第１クロックレベルに設定し、前記検出ステップで検出した電圧が前記スレッショルドを越えるとき第１設定レベルに設定し、検出電圧が前記スレッショルドを越えないとき第２設定レベルに設定し、前記第１設定レベルが所定時間以上継続した場合に極性反転の確定と判定する第１の判定ステップと、前記極性反転の確定が不可能と判定されたとき、前記着信呼出信号の終了後に前記第２設定レベルが所定時間以上継続した場合に極性反転でない確定と判定し、前記クロックを前記第１クロックレベルから第２クロックレベルに変更する第２の判定ステップと、前記極性反転が確定されたとき、前記着信呼出信号の確定を行い、前記クロックを前記第１クロックレベルから前記第２クロックレベルに変更する確定ステップとを含むことを特徴とする。
【００３１】
【発明の実施の形態】
以下、本発明の自動通報装置及び自動通報方法の実施の形態を図面を参照して説明する。図１に本発明の自動通報装置の実施の形態の構成ブロック図を示す。図１に示す自動通報装置１０は、電話回線に接続される電話回線接続端子ＬＬ、電話機が接続される電話接続端子ＴＴ、極性反転検出部１１、ノーリンギング着信検出部１２、データ送受信部１３、制御部１５、リセットスイッチ１９、設定スイッチ２０、発光ダイオード（ＬＥＤ）２１を備えて構成されている。
【００３２】
極性反転検出部１１は、通常着信時の電話回線の極性反転、ノーリンギング通信時の電話回線の極性反転及びオフフック検出を行う。ノーリンギング着信検出部１２は、ノーリンギング通信における着信を検出する。データ送受信部１３は、各種データの送受信を行う。検出電圧切換部１４は、極性反転検出部１１の検出電圧（基準電圧）を切り換える。
【００３３】
制御部１５は、自動通報装置１０全体を制御するとともに外部のガスメータに接続される。制御部１５は、処理を実行するとともにメインクロック動作を行うＣＰＵ１６、ＣＰＵ１６が実行すべき割り込みルーチン及び割り込み禁止ルーチンを含む制御プログラムを格納するリードオンリーメモリＲＯＭ１７、各種のデータを格納するランダムアクセスメモリＲＡＭ１８を有する。
【００３４】
リセットスイッチ１９及び設定スイッチ２０は、自動通報装置１０がターミナルアダプタ２５に接続された時にオン操作され、そのスイッチ信号によりターミナルアダプタ２５への自動通報装置１０の接続をＣＰＵ１６に認識させるものである。
【００３５】
図２にリセットスイッチ、設定スイッチ及びＬＥＤの各信号のタイミングチャートを示す。図２に示すように、設定スイッチ２０を、時刻ｔ１にオンさせ、オン状態を時刻ｔ５まで継続させる。リセットスイッチ１９を時刻ｔ２でオンさせ、時刻ｔ３でオフさせる。モニタであるＬＥＤ２１は、時刻ｔ３で点灯し、１．５秒間隔で点滅を３回繰り返した後、３秒間消灯し、時刻ｔ４で点灯させる。
【００３６】
時刻ｔ４から時刻ｔ６までのターミナルアダプタ接続設定時間において、例えば、時刻ｔ５において設定スイッチ２０を離す（スイッチオフ）ことで、ターミナルアダプタ接続設定完了となる。すなわち、設定スイッチ２０が押されている間、ＬＥＤ２１は、点滅を継続し、設定スイッチ２０を離した時点で、ＬＥＤ２１の点滅を終了させる。
【００３７】
図３に極性反転検出部１１及び検出電圧切換部１４の回路構成を示す。極性反転検出部１１において、ダイオードブリッジ回路ＤＢの第１入力端子には、電話回線接続端子ＬＬを構成する第１電話回線接続端子Ｌ１が接続され、第２電話回線接続端子Ｌ２がダイオードブリッジ回路ＤＢの第２入力端子に接続されている。
【００３８】
第１電話回線接続端子Ｌ１とダイオードブリッジ回路ＤＢの第１入力端子との間の中間接続点には、ツェナーダイオードＺＤ１１のカソード端子が接続され、ツェナーダイオードＺＤ１１のアノード端子には、ツェナーダイオードＺＤ１２のカソード端子が接続されている。トランジスタＴＲ１のベース端子には、分圧抵抗群ＲＧ１を介してツェナーダイオードＺＤ１２のアノード端子が接続され、トランジスタＴＲ１のコレクタ端子が状態監視用端子ＬＳ１及び分圧抵抗を介して制御端子ＰＳＤ．Ｌ１に接続されている。
【００３９】
第２電話回線接続端子Ｌ２とダイオードブリッジ回路ＤＢの第２入力端子との間の中間接続点には、ツェナーダイオードＺＤ２１のカソード端子が接続され、ツェナーダイオードＺＤ２１のアノード端子には、ツェナーダイオードＺＤ２２のカソード端子が接続されている。トランジスタＴＲ２のベース端子に分圧抵抗群ＲＧ２を介してツェナーダイオードＺＤ２２のアノード端子が接続され、トランジスタＴＲ２のコレクタ端子が状態監視用端子ＬＳ２及び分圧抵抗を介して制御端子ＰＳＤ．Ｌ２に接続されている。
【００４０】
ツェナーダイオードＺＤ１２の両端には、第１スイッチＳＷ１が接続され、ツェナーダイオードＺＤ２２の両端には、第２スイッチＳＷ２が接続されている。第１スイッチＳＷ１及び第２スイッチＳＷ２は、前述した検出電圧切換部１４を構成している。この場合、４８Ｖ電圧系ＰＢＸまたはターミナルアダプタ２５を自動通報装置１０に接続した場合には、第１スイッチＳＷ１及び第２スイッチＳＷ２は、双方ともオフ状態とされ、第１基準電圧ＶＴＨ１  ＝３０Ｖ、第２基準電圧ＶＴＨ２  ＝−３０Ｖとなる。
【００４１】
２４Ｖ電圧系ＰＢＸまたはターミナルアダプタ２５を自動通報装置１０に接続した場合には、第１スイッチＳＷ１及び第２スイッチＳＷ２は、双方ともオン状態とされ、ツェナーダイオードＺＤ１２、ＺＤ２２は、電気的に非接続状態となるため、第１基準電圧ＶＴＨ１  ＝１５Ｖ、第２基準電圧ＶＴＨ２  ＝−１５Ｖとなる。
【００４２】
論理回路ＯＲは、トランジスタＴＲ１のコレクタ出力とトランジスタＴＲ２のコレクタ出力との論理和をとり、その論理和出力は、割込信号として制御部１５に出力される。
【００４３】
なお、ツェナーダイオードＺＤ１１、ＺＤ１２、ＺＤ２１、ＺＤ２２のそれぞれのスレッショルドレベルは１５Ｖであり、分圧抵抗群ＲＧ１及びＲＧ２の一端は、それぞれ、共通電源（ＧＮＤ）に接続されている。
【００４４】
次に、このように構成された実施の形態の自動通報装置の基本動作、すなわち、自動通報方法を図４のフローチャートを参照して説明する。まず、自動通報装置１０をターミナルアダプタ２５に接続すると、電話回線から極性反転検出部１１に、図１４に示すような極反がない４８Ｖまたは２４Ｖの電圧が入力され、１６Ｈｚ信号が着信される。すると、論理回路ＯＲから極反による割り込み信号がＣＰＵ１６に入力される。
【００４５】
また、自動通報装置１０のターミナルアダプタ２５への接続時に、リセットスイッチ１９及び設定スイッチ２０をオン操作する。すると、ＣＰＵ１６は、リセットスイッチ１９及び設定スイッチ２０からの操作信号に応じて、自動通報装置１０のターミナルアダプタ２５への接続認識の判定を行う（ステップＳ１）。
【００４６】
ここで、リセットスイッチ１９及び設定スイッチ２０がオン操作された場合には、論理回路ＯＲからＣＰＵ１６に極反による割り込み信号が入力されても、ＣＰＵ１６は、割り込み信号による割り込み処理を禁止する。すなわち、極反を見ない（ステップＳ２）。
【００４７】
このため、１６Ｈｚ信号が着信しても、あるいは極反があっても（ステップＳ３）、割り込みが発生しないため、メインクロックが動作しない（ステップＳ４）。すなわち、ＣＰＵ１６がメインクロック発振を行わず、Ｌレベルのままとなる。その結果、電流が流れなくなり、消費電流を少なくすることができる。
【００４８】
一方、リセットスイッチ１９及び設定スイッチ２０がオン操作されていない場合には、ＣＰＵ１６は、論理回路ＯＲからの極反による割り込み信号により割り込み処理を行う。すなわち、極反を見る（ステップＳ５）。
【００４９】
このため、１６Ｈｚ信号あるいは極反があった場合には（ステップＳ６）、割り込みが発生し（ステップＳ７）、メインクロックが動作する（ステップＳ８）。すなわち、ＣＰＵ１６がメインクロック発振を行う。
【００５０】
次に、図５に自動通報装置を含む自動通報システムの構成ブロック図を示す。図５において、自動通報装置１０ａにはターミナルアダプタ２５及び電話機２９ａが接続され、自動通報装置１０ｂにはＰＢＸ３１（内線）及び電話機２９ｂが接続されている。ターミナルアダプタ２５及びＰＢＸ３１には電話回線２６が接続され、この電話回線２６は交換機２７を介してホストコンピュータ等のセンタ２８に接続されている。
【００５１】
次に、図５に示す自動通報装置の動作、すなわち、自動通報方法を図６のフローチャートを参照して説明する。まず、ＣＰＵ１６は、ＰＢＸ３１を自動通報装置１０に接続したとき、リセットスイッチ１９及び設定スイッチ２０の設定、すなわち、内線の設定を行ったかどうかを判定する（ステップＳ１１）。なお、ＰＢＸ３１接続時にはノーリンギング通信は不可能であり、１６Ｈｚ信号極反しない。
【００５２】
ここで、内線の設定を行った場合には、ＣＰＵ１６は、論理回路ＯＲから割り込み信号を入力するが、内線設定により、割り込み信号の入力を無視し、割り込みルーチン（ステップＳ１５からステップＳ３３の処理）への処理を禁止し、極反を見ない（ステップＳ１２）。
【００５３】
すなわち、ＰＢＸ３１を自動通報装置１０に接続したとき、スイッチ操作によりＰＢＸ３１への接続をＣＰＵ１６に認識させ、極反による割り込み処理を禁止したため、１６Ｈｚ信号が着信しても割り込みが発生しない。このため、ＣＰＵ１６のメインクロックはＬレベルのままである。つまり、メインクロック発振をしないので、消費電流が少なくなる。
【００５４】
次に、ターミナルアダプタ（ＴＡ）２５を自動通報装置１０に接続したとき、リセットスイッチ１９及び設定スイッチ２０の設定、すなわち、ターミナルアダプタ２５の設定を行ったかどうかを判定する（ステップＳ１３）。ステップＳ１３は、接続判定部を構成する。なお、ターミナルアダプタ２５接続時にはノーリンギング通信は、不可能であり、１６Ｈｚ信号の極反あり、極反なしの両方がある。
【００５５】
ターミナルアダプタ２５の設定を行った場合には、ＣＰＵ１６は、割り込み信号の入力を無視し、割り込みルーチンへの処理を禁止し、極反を見ない（ステップＳ１２）。ステップＳ１２は、クロック発振禁止部を構成する。すなわち、ターミナルアダプタ２５を自動通報装置１０に接続したとき、スイッチ操作によりターミナルアダプタ２５への接続をＣＰＵ１６に認識させ、極反による割り込み処理を禁止したため、１６Ｈｚ信号が着信しても割り込みが発生しない。このため、メインクロック発振をしないので、消費電流が少なくなる。
【００５６】
次に、ＰＢＸ３１を自動通報装置１０に接続しても内線の設定をしない場合、ターミナルアダプタ２５を自動通報装置１０に接続してもターミナルアダプタ２５の設定をしない場合には、割り込み信号に基づき、ステップＳ１５からステップＳ３３までの割り込みルーチン処理を行う。ステップＳ１５からステップＳ３３までの割り込みルーチン処理は、クロック制御部を構成する。
【００５７】
まず、極反割り込みポートがアクティブＬｏｗとなる（ステップＳ１５）。極反割り込みポートがアクティブＬｏｗとなるのは、（１）ノーリンギング通信（極反より開始）のとき、（２）１６Ｈｚ信号（極反より開始）のとき、（３）極反無しで１６Ｈｚ信号となり、その電圧値がスレッショルド電圧を超えるとき等である。なお、（３）の場合には、ステップＳ１５からステップＳ２７のループの処理を行う。
【００５８】
そして、図１４に示すように、時刻ｔ１５でＣＰＵ１６のメインクロックがＨレベルとなり（ステップＳ１７）、極反が確定したかどうかを判定する（ステップＳ１９）。ステップＳ１９は、第１の判定部を構成する。ここで、極反が確定していない場合には、１６Ｈｚ信号着信中で極反確定できない状態となる（ステップＳ２１）。
【００５９】
さらに、１６Ｈｚ信号が終了し（ステップＳ２３）、時刻１６で“極反でない確定”を行い（ステップＳ２５）、ＣＰＵ１６のメインクロックをＬレベルにし（ステップＳ２７）、ステップＳ１５の処理に戻る。ステップＳ２１からステップＳ２７は、第２の判定部を構成する。
【００６０】
このようにターミナルアダプタ２５またはＰＢＸ３１を介した後の１６Ｈｚ信号が着信された場合には、ステップＳ１５からステップＳ２７のループにおいて、電話機が切れるか、受話器が取られるまでこれらの処理が繰り返される。
【００６１】
一方、ステップＳ１９で極反が確定した場合には、１６Ｈｚ信号かノーリンギングかを判定する（ステップＳ２９）。１６Ｈｚ信号であれば、１６Ｈｚ信号を確定し（ステップＳ３１）、ＣＰＵ１６のメインクロックをＬレベルにする（ステップＳ３３）。ステップＳ３１、Ｓ３３は確定部を構成する。
【００６２】
また、ノーリンギングであれば、ノーリンギング（ＮＲＳ）が確定したかどうかを判定し（ステップＳ３５）、ノーリンギングが確定したら、通信を行い（ステップＳ３７）、ステップＳ３３の処理に進む。
【００６３】
なお、ノーリンギング通信は、電話回線の極性が反転することで開始し、ノーリンギング可能な回線では、１６Ｈｚ信号も極反により開始する。１６Ｈｚ信号であるかノーリンギングであるかを区別するためにＣＰＵ１６のメインクロックをＨレベルにする。ノーリンギング通信時及び着信時の電話回線の極性反転検出時の動作は、図１２及び図１３において説明した通りである。
【００６４】
一方、ターミナルアダプタ２５またはＰＢＸ３１を自動通報装置１０に接続した場合には、ノーリンギング通信は不可能であり、ノーリンギングと１６Ｈｚ信号との区別を行う必要がないため、ＣＰＵ１６をＨレベルにする必要がない。１６Ｈｚ信号を確定すると、ＣＰＵ１６のメインクロックがＬレベルとなる。
【００６５】
次に、図５に示す自動通報システムにおいて、内線、及びターミナルアダプタ２５を自動通報装置１０に接続したときの実起動確認試験及びその試験結果を説明する。
【００６６】
まず、第１及び第２電話回線接続端子Ｌ１、Ｌ２間において、内線、ターミナルアダプタ２５を介した後の１６Ｈｚ信号確認を行った。図７にターミナルアダプタ接続時における１６Ｈｚ信号の確認結果を示す。１６Ｈｚ信号が一定時間間隔で着信され、その１６Ｈｚ信号の電圧値は、例えば、約ー２０４Ｖから＋２４Ｖの範囲となっている。
【００６７】
次に、内線、ターミナルアダプタ２５の設定を行わずに１６Ｈｚ信号を着信し、その時にＣＰＵ１６のメインクロックが発振するかどうかを確認した。図８にターミナルアダプタ未設定時の試験結果を示す。ターミナルアダプタ未設定時には図８に示すように、電圧Ｖ０に対してメインクロックが発振している。
【００６８】
さらに、内線、ターミナルアダプタ２５の設定を行い、１６Ｈｚ信号を着信し、その時にＣＰＵ１６のメインクロックが発振するかどうかを確認した。図９にターミナルアダプタ設定時の試験結果を示す。ターミナルアダプタ設定時には図９に示すように、電圧がＶ０のままであり、メインクロックは発振しない。このように、内線、ターミナルアダプタ２５の設定を行ったときには、１６Ｈｚ信号に対してメインクロックの発振をしないので、消費電流を少なくすることができる。
【００６９】
また、簡易な構成の検出電圧切換部を設けることにより、４８Ｖ電圧系及び２４Ｖ電圧系の機器を接続して、極性反転検出、オフフック検出、着信検出を行うことができる。
【００７０】
【発明の効果】
本発明によれば、検出部が、電話回線接続端子に印加される電圧の極性反転を検出するとともに着信呼出信号を検出し、クロック制御部は、検出部が極性反転を検出したとき第１の割り込み処理によりクロックを発振させ、極性反転なしで着信呼出信号が入力された場合、着信呼出信号が予め定められたスレッショルドを越えた時点で極反とみなし第２の割り込み処理によりクロックを発振させる。
【００７１】
ターミナルアダプタに自動通報装置本体を接続したとき、操作部が操作されると、接続判定部は、操作部からの操作信号によりターミナルアダプタに自動通報装置本体が接続されたか否かを判定し、ターミナルアダプタに前記自動通報装置本体が接続されたと判定されたとき、クロック発振禁止部は、クロック制御部の第２の割り込み処理を禁止することによりクロックの発振を禁止する。
【００７２】
すなわち、ターミナルアダプタに接続時に操作部によりターミナルアダプタへの接続を認識し、第２の割り込み処理を禁止したので、着信呼出信号が着信しても割り込みが発生せず、クロックが発振しない。その結果、消費電流を少なくすることができる。
【００７３】
また、検出部で検出した電圧がスレッショルドを越えるとき第１設定レベルに設定し、検出電圧がスレッショルドを越えないとき第２設定レベルに設定し、第１設定レベルが所定時間以上継続した場合に極性反転の確定ができる。また、極性反転の確定が不可能と判定されたとき、着信呼出信号の終了後に第２設定レベルが所定時間以上継続した場合に極性反転でない確定ができる。さらに、極性反転が確定されたとき、着信呼出信号の確定ができる。
【図面の簡単な説明】
【図１】本発明の自動通報装置の実施の形態の構成図である。
【図２】リセットスイッチ、設定スイッチ及びＬＥＤの各信号のタイミングチャートである。
【図３】極性反転検出部及び検出電圧切換部の回路構成図である。
【図４】自動通報装置の基本動作を示すフローチャートである。
【図５】自動通報装置を含む自動通報システムの構成ブロック図である。
【図６】実施の形態の自動通報装置の動作を示すフローチャートである。
【図７】１６Ｈｚ信号の確認を示す図である。
【図８】ターミナルアダプタ未設定時におけるメインクロックの発振を示す図である。
【図９】ターミナルアダプタ設定時におけるメインクロックの発振無しを示す図である。
【図１０】従来の自動通報装置の概略構成ブロック図である。
【図１１】従来の自動通報装置内の極性反転検出部の回路構成を示す図である。
【図１２】ノーリンギング通信時及び着信時の電話回線の極性反転検出時の自動通報装置の動作を説明する図である。
【図１３】自動通報装置による１６Ｈｚ信号の検出動作を説明する図である。
【図１４】自動通報装置をターミナルアダプタに接続したときの１６Ｈｚ信号の検出動作を説明する図である。
【図１５】自動通報装置をターミナルアダプタに接続したときに極反確定ができない理由を説明する図である。
【符号の説明】
１０  自動通報装置
１１  極性反転検出部
１２  ノーリンギング着信検出部
１３  データ送受信部
１４  検出電圧切換部
１５  制御部
１６  ＣＰＵ
１７  ＲＯＭ
１８  ＲＡＭ
１９  リセットスイッチ
２０  設定スイッチ
２１  ＬＥＤ
２５  ターミナルアダプタ
２６  電話回線
２７  交換機
２８  センタ
２９ａ，２９ｂ  電話機
３１  ＰＢＸ
【図１】
0003599992.tif 000002
【図２】
0003599992.tif 000003
【図３】
0003599992.tif 000004
【図４】
0003599992.tif 000005
【図５】
0003599992.tif 000006
【図６】
0003599992.tif 000007
【図７】
0003599992.tif 000008
【図８】
0003599992.tif 000009
【図９】
0003599992.tif 000010
【図１０】
0003599992.tif 000011
【図１１】
0003599992.tif 000012
【図１２】
0003599992.tif 000013
【図１３】
0003599992.tif 000014
【図１４】
0003599992.tif 000015
【図１５】
0003599992.tif 000016